(57)【特許請求の範囲】
【請求項１】
顧客の操作により取引を行う複数の自動取引装置と、取引中または待機中等の稼働状況情報をそれぞれの自動取引装置から受信して記憶部に記憶する制御装置とを備え、該制御装置の指示により待機中の自動取引装置の装置番号を表示して顧客を待機中の自動取引装置へ誘導する顧客誘導システムにおいて、
自動取引装置の近傍に配置した表示器を設け、
待機中の自動取引装置を検知した前記制御装置の指示により前記表示器が待機中の自動取引装置であることを示し、顧客を待機中の自動取引装置へ誘導するとともに、
顧客を待機中の一の自動取引装置へ誘導しているとき、該一の自動取引装置と異なる他の自動取引装置が新たに待機中になった場合、前記制御装置は、それぞれの自動取引装置の取り扱い可能な取引科目を比較し、その結果が、前記他の自動取引装置の取り扱い可能な取引科目が前記一の自動取引装置の取り扱い可能な取引科目を包含しているとき、該他の自動取引装置の顧客操作表示部に取引選択画面を表示させて該他の自動取引装置にも顧客を誘導することを特徴とする顧客誘導システム。
【請求項２】
請求項１の顧客誘導システムにおいて、
顧客を待機中の一の自動取引装置へ誘導しているとき、該一の自動取引装置と異なる他の自動取引装置が新たに待機中になった場合、前記制御装置は、それぞれの自動取引装置の取り扱い可能な取引科目を比較し、その結果が、前記他の自動取引装置の取り扱い可能な取引科目が前記一の自動取引装置の取り扱い可能な取引科目を包含していないとき、該他の自動取引装置で顧客の操作の受け付けを中止させることを特徴とする顧客誘導システム。
【請求項３】
顧客の操作により取引を行う複数の自動取引装置と、取引中または待機中等の稼働状況情報をそれぞれの自動取引装置から受信して記憶部に記憶する制御装置とを備え、該制御装置の指示により待機中の自動取引装置の装置番号を表示して顧客を待機中の自動取引装置へ誘導する顧客誘導システムにおいて、
自動取引装置の近傍に配置した表示器を設け、
待機中の自動取引装置を検知した前記制御装置の指示により前記表示器が待機中の自動取引装置であることを示し、顧客を待機中の自動取引装置へ誘導するとともに、
顧客を待機中の一の自動取引装置へ誘導しているとき、該一の自動取引装置と異なる他の自動取引装置が新たに待機中になった場合、前記制御装置は、それぞれの自動取引装置の取り扱い可能な取引科目を比較し、その結果が、前記他の自動取引装置の取り扱い可能な取引科目が前記一の自動取引装置の取り扱い可能な取引科目を包含しないとき、該他の自動取引装置の利用を制限するようにしたことを特徴とする顧客誘導システム。
【発明の詳細な説明】
【技術分野】
【０００１】
本発明は、金融機関等のキャッシュコーナ等に設置される自動取引装置等を使用する顧客を誘導する顧客誘導システムに関する。
【背景技術】
【０００２】
金融機関等のキャッシュコーナに設置される自動取引装置等を使用する顧客で混雑している場合、顧客は、自動取引装置等が空くのを待つ必要があるため、従来の顧客誘導システムは、カードリーダ等で顧客情報および希望する取引科目の入力を受付け、その入力された顧客情報および取引科目に基づいて、自動取引装置等の取引データをもとに自動取引装置等の空きを判断し、その空きを待っている顧客に順番がきたこと、および使用できる自動取引装置等の番号を大型ディスプレイに表示して案内していた。
（例えば、特許文献１参照）。
【特許文献１】特開平９−１４７１８７号公報（段落「０００９」〜段落「００１３」、図１）
【発明の開示】
【発明が解決しようとする課題】
【０００３】
しかしながら、上述した従来の技術においては、自動取引装置等の取引データをもとに自動取引装置等の空きを検知すると大型ディスプレイに顧客の氏名および使用することができる自動取引装置等の番号を表示して顧客を自動取引装置等へ誘導するようにしているが、その自動取引装置等の番号の表示だけではその存在する場所が分かり難いという問題がある。
【０００４】
本発明は、このような問題を解決することを課題とする。
【課題を解決するための手段】
【０００５】
そのため、本発明は、顧客の操作により取引を行う複数の自動取引装置と、取引中または待機中等の稼働状況情報をそれぞれの自動取引装置から受信して記憶部に記憶する制御装置とを備え、該制御装置の指示により待機中の自動取引装置の装置番号を表示して顧客を待機中の自動取引装置へ誘導する顧客誘導システムにおいて、自動取引装置の近傍に配置した表示器を設け、待機中の自動取引装置を検知した前記制御装置の指示により前記表示器が待機中の自動取引装置であることを示し、顧客を待機中の自動取引装置へ誘導するとともに、顧客を待機中の一の自動取引装置へ誘導しているとき、該一の自動取引装置と異なる他の自動取引装置が新たに待機中になった場合、前記制御装置は、それぞれの自動取引装置の取り扱い可能な取引科目を比較し、その結果が、前記他の自動取引装置の取り扱い可能な取引科目が前記一の自動取引装置の取り扱い可能な取引科目を包含しているとき、該他の自動取引装置の顧客操作表示部に取引選択画面を表示させて該他の自動取引装置にも顧客を誘導することを特徴とする。
【発明の効果】
【０００６】
このようにした本発明は、待機する顧客を空いている自動取引装置へ確実に誘導することができるという効果が得られる。
【発明を実施するための最良の形態】
【０００７】
以下、図面を参照して本発明による顧客誘導システムの実施例を説明する。
【実施例】
【０００８】
まず、第１の実施例を説明する。
図１は実施例における顧客誘導システムの構成を示すブロック図、図２実施例におけるキャッシュコーナを示す説明図である。
図１において、１は自動取引装置であり、銀行等の金融機関のキャッシュコーナ等に設置される現金入出金機、振込専用機および記帳専用機等である。この自動取引装置１は、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段である制御部、磁気ディスク、半導体メモリ等の記憶手段である記憶部、通信手段である通信部および顧客の操作を誘導し、顧客の操作による入力を受付ける顧客操作表示部等を備え、顧客の操作により現金引出しや現金入金および振込み等の取引ができるものである。本実施例では、キャッシュコーナに８台の自動取引装置１が設置されているものとして説明する。また、それぞれの自動取引装置１は通信回線２に通信可能に接続されている。
【０００９】
３は制御装置であり、銀行等の金融機関のキャッシュコーナ等に設置され、自動取引装置１の状態を監視するとともに図示しないホストコンピュータ等の上位装置との間で顧客情報等の送受信制御を行うものである。この制御装置３はＣＰＵ等の演算および制御手段である制御部、磁気ディスク、半導体メモリ等の記憶手段である記憶部および通信手段である通信部等を備えるものであり、通信回線２を介して自動取引装置１等と相互に通信可能に接続されている。また、この制御装置３は後述するゲートや顧客誘導ランプ等も制御する。
【００１０】
４は案内板であり、顧客が自動取引装置１を使用するために待機する顧客待機エリアに設置され、顧客に自動取引装置１の稼働状況や顧客を誘導する情報等を表示するものである。この案内板４はＣＰＵ等の演算および制御手段である制御部、カラーＣＲＴ（Ｃａｔｈｏｄｅ  Ｒａｙ  Ｔｕｂｅ）、カラー液晶ディスプレイ等の表示部、磁気ディスク、半導体メモリ等の記憶手段である記憶部および通信手段である通信部等を備えるものであり、通信回線２を介して制御装置３および自動取引装置１等と相互に通信可能に接続されている。
【００１１】
ここで、それぞれの自動取引装置１は顧客の操作により取引を開始するとその旨の情報および取引を終了するとその旨の情報、すなわち、取引中または待機中を示す稼動情報や自動取引装置１の構成や貨幣の残量等の情報から判断される取り扱うことのできる取引（例えば、入金取引、出金取引、振込取引または通帳記帳取引等の取引）の種別を示す情報を制御装置３へ送信する。制御装置３は受信した稼動情報や取り扱うことのできる取引の種別を示す情報を記憶部に記憶するものとする。
【００１２】
案内板４は制御装置３から自動取引装置１の稼動情報およびそれぞれの自動取引装置１が取り扱うことができる取引の種別を示す情報を受信し、その情報を表示部に表示するものとする。
５はゲートであり、顧客待機エリアに待機した顧客が、自動取引装置１が置かれた自動取引装置設置エリアへ入場するときに通過する入口である。
【００１３】
図２において、８台の自動取引装置１は１列に並んで設置されているものとし、それぞれの自動取引装置１は顧客９の操作にしたがって取引を行う。ここで、８台の自動取引装置１には装置番号が付与されており、ゲート５に最も近い位置に設置された自動取引装置１を１号機とし、順次、遠方になるにしたがって２号機から７号機、ゲート５から最も遠い位置に設置された自動取引装置１を８号機とするものとする。なお、この装置番号はそれぞれの自動取引装置１の記憶部に予め記憶されているものとする。
【００１４】
１０は顧客待機エリアであり、自動取引装置１の使用を希望する顧客がその使用を待つための領域である。この顧客待機エリア１０では、出入口１１から入場する顧客１３を誘導ロープ１２で誘導して自動取引装置１の使用を待つ顧客１３の行列が作られるようにしている。
いずれかの自動取引装置１が取引を終了すると案内板４に表示された情報にしたがって行列の最前列の顧客１３はゲート５を通過し、取引を終了した自動取引装置１へ移動して取引を行い、取引を終了すると顧客９は専用出口１４から退室するものとする。
【００１５】
図３は実施例における顧客待機エリアの説明図、図４は実施例における回転バーの説明図である。
図３および図４において、２１は回転バーであり、ゲート５に設置されたものである。この回転バー２１は、例えば、鉛直方向に設けられた支柱に水平方向に回転可能な４本の棒状体のバーで構成され、回転動作を係止するロック機構を有したものである。この回転バー２１は顧客待機エリア１０で待機する顧客１３の自動取引装置設置エリアへの入場を許可および規制するものであり、制御装置３からの信号を受信してそのロック機構でバーの回転動作を係止またはその係止を解除する。係止が解除されると顧客１３は自動取引装置設置エリアへの入場が可能になり、顧客１３の入場とともに回転バー２１が４分の１回転するとその回転は係止され、他の顧客１３の入場を規制する。
【００１６】
なお、この回転バー２１は顧客待機エリア１０で待機する顧客１３の自動取引装置設置エリアへの入場を許可および規制するものであればゲート５の両側に設けたものであってもよく、また、片側に設けたものであってもよい。
また、図５に示すように回転バー２１に替えて、顧客待機エリア１０で待機する顧客１３が自動取引装置設置エリアへ入場したことを検知する光学式の通過センサ２２を設けてもよい。この通過センサ２２は制御装置３に接続され、検知した情報を信号で制御装置３へ通知するものとし、制御装置３は許可しない顧客１３の入場を検知すると通過センサ２２の近傍に配置された図示しないスピーカにより警告音や「次のお客様は少々お待ちください」の文言等を出力してその入場を抑止する。なお、介護者付きの顧客や子供連れの顧客はその警告を無視して自動取引装置設置エリアへ入場することができるものとする。
【００１７】
図６は実施例における案内板表示内容の説明図である。
図６（ａ）に示すように案内板４に表示される内容は「自動取引装置  運用状態案内板」等の文言および取引を行っていない自動取引装置を示す空き自動取引装置表示領域３１、取引を行うことができない自動取引装置を示す取引中止自動取引装置表示領域３２、出金取引のみ可能な自動取引装置を示す出金可能自動取引装置表示領域３３ならびに入金取引のみ可能な自動取引装置を示す入金可能自動取引装置表示領域３４等で構成されたものである。例えば、空き自動取引装置表示領域３１に「８」と表示されている場合は８号機が空いていること、すなわち、取引可能（待機中）であることを示す。
【００１８】
また、図６（ｂ）に示す内容を案内板４に表示するようにしてもよい。この案内板に表示される内容は「お取引可能なＡＴＭを表示しています。」等の文言、「お引出し」で出金取引、「ご入金」で入金取引、「お振込み」で振込取引、「通帳記帳」で通帳記帳取引を示す取引科目４１ならびにそれぞれの自動取引装置１で取引可能な状況を表示する取引可能情報４２および「お待たせ致しました  ８号機が空きましたのでお進みください」等の文言を表示する案内表示領域５０で構成されたものである。
【００１９】
取引科目４１で示す取引の可否を１号機から８号機の自動取引装置１毎に取引可能情報４２〜４９に、すべての取引が可能であれば「青色」、一部の取引が可能であれば「黄色」、ひとつの取引のみ可能であれば「赤色」等の色分けをして表示するものとする。なお、色分けに替えて取引が可能であれば「○」、不可能であれば「×」等を自動取引装置１毎の取引科目４１に対応する欄に表示するようにしてもよい。
【００２０】
例えば、図６（ｂ）に示すように１号機の取引可能情報４２、２号機の取引可能情報４３、３号機の取引可能情報４４、４号機の取引可能情報４５および８号機の取引可能情報４９は「青色」で表示され、出金取引、入金取引、振込取引および通帳記帳取引が可能であることを示し、５号機の取引可能情報４６は「赤色」で表示され、通帳記帳取引のみが可能なことを示し、６号機の取引可能情報４７は「黄色」で表示され、出金取引および入金取引が可能なことを示し、さらに、７号機の取引可能情報４８は「黄色」で表示され、出金取引、入金取引および振込取引が可能なことを示している。
【００２１】
このように案内板４は、制御装置３から自動取引装置１の稼動情報およびそれぞれの自動取引装置１が取り扱うことができる取引の種別を示す情報を受信し、その情報を表示部に表示する。
図７は実施例における顧客誘導ランプの説明図である。
図７において、２５は顧客誘導ランプであり、キャッシュコーナに設置されるそれぞれの自動取引装置１の近傍（例えば、上方）に設置されたものである。この顧客誘導ランプ２５は多色発光可能なＬＥＤ等で構成され、制御装置３の制御により、赤色、青色、黄色等を発光することができ、また、点灯および消灯される。
【００２２】
この顧客誘導ランプ２５を点灯、点灯および消灯を繰り返す点滅をさせて顧客に空いている自動取引装置であることを知らせる。
なお、顧客誘導ランプ２５の近傍にスピーカを設け、顧客誘導ランプ２５を点灯等させて誘導するとともに音声により誘導するようにしてもよい。
上述した構成の作用について説明する。
【００２３】
なお、以下に説明する各部の動作は、図示しないメモリや磁気ディスク等の記憶手段に格納されたプログラム（ソフトウェア）に基づいて図示しない中央処理装置等の制御手段により制御される。
図８は実施例における顧客誘導処理のフローチャートであり、図中Ｓで表すステップにしたがって説明する。
【００２４】
Ｓ１：制御装置３はキャッシュコーナに設置されたすべての自動取引装置１から取引の開始／終了の情報や取り扱うことのできる取引の種別を示す情報を受信して自動取引装置１の取引の終了を監視している。ここで、顧客の操作により行う取引を終了または中止し、その顧客が自動取引装置１から離れたことを図示しない接近検知器が検知したとき取引の終了と判断するものとする。
【００２５】
制御装置３は自動取引装置１から受信して記憶部に記憶した取引の開始／終了の情報や取り扱うことのできる取引の種別を示す情報をもとに自動取引装置１の空き情報およびそれぞれの自動取引装置１が取り扱うことができる取引の種別を示す情報を読み出し、空いている（待機中の）自動取引装置１の有無を判定する。ここで、空いている自動取引装置１が有ると判定したとき、その自動取引装置１を自動取引装置Ａと呼ぶこととする。
【００２６】
Ｓ２：判定の結果、空いている自動取引装置１が存在しない場合、案内板４に空きの自動取引装置１の装置番号を表示することなく、「列に並んでお待ちください」等の文言を表示し、処理をＳ１へ移行する。
Ｓ３：一方、判定の結果、空いている自動取引装置１が存在する場合、すなわち、待機中の自動取引装置Ａが存在する場合、制御装置３はその装置番号を確認する。本実施例では、自動取引装置Ａの装置番号は８号機とする。
【００２７】
また、制御装置３は自動取引装置Ａが取り扱うことができる取引の科目を確認する。
Ｓ４：制御装置３の指示により案内板４は待機する顧客１３に８号機が空いた旨および８号機は入金取引、出金取引、振込取引または通帳記帳取引のすべての取引が可能である旨を伝える図６に示す案内表示を行うとともに、制御装置３は回転バー２１のロックを解除する。また、制御装置３により自動取引装置Ａ（８号機）の顧客誘導ランプ２５を青色等で点灯する。
【００２８】
Ｓ５：顧客待機エリア１０で待機する顧客１３は案内板４の表示を確認し、８号機が空いたと認識してゲート５を通過する。顧客１３がゲート５を通過するとき回転バー２１のバーは４分の１回転することにより顧客１３の通過を検知する。顧客１３の通過を検知するまでは処理をＳ３へ移行させ案内表示を継続する。
Ｓ６：顧客１３の通過を検知すると回転バー２１はバーの回転をロックする。
【００２９】
Ｓ７：顧客１３は案内板４の表示に従い自動取引装置Ａの８号機へ向かって移動するが、このとき制御装置３は自動取引装置１から受信して記憶部に記憶した取引の開始／終了の情報や取り扱うことのできる取引の種別を示す情報をもとに自動取引装置１の空き情報およびそれぞれの自動取引装置１が取り扱うことができる取引の種別を示す情報を読み出し、自動取引装置Ａ（８号機）以外に空いている自動取引装置１の有無を判定する。ここで、空いている自動取引装置１が有ると判定したとき、その自動取引装置１を自動取引装置Ｂと呼ぶこととする。
【００３０】
判定の結果、空いている自動取引装置Ｂが存在しない場合、処理をＳ８へ移行し、空いている自動取引装置Ｂが存在する場合、処理をＳ１０へ移行する。
Ｓ８：顧客は自動取引装置Ａの８号機で操作を開始し、所望の取引を行う。取引を開始した情報を受信した制御装置３により自動取引装置Ａ（８号機）の顧客誘導ランプ２５を消灯する。
【００３１】
Ｓ９：顧客は自動取引装置Ａの８号機で行う取引を終了すると専用出口１４から退室する。
Ｓ１０：Ｓ７における判定の結果、空いている自動取引装置Ｂが存在することを確認すると制御装置３はその装置番号を確認する。本実施例では、自動取引装置Ｂの装置番号は４号機とする。
【００３２】
また、制御装置３は自動取引装置Ｂが取り扱うことができる取引の科目を確認する。
Ｓ１１：制御装置３は記憶部に記憶された自動取引装置Ａと自動取引装置Ｂが取り扱うことができる取引の科目を比較し、自動取引装置Ａで取り扱うことができる取引の科目が自動取引装置Ｂで取り扱うことができる取引の科目を包含するか否かを判定する。
例えば、自動取引装置Ａが取り扱うことができる取引の科目は入金取引、出金取引、振込取引および通帳記帳であり、一方、自動取引装置Ｂが取り扱うことができる取引の科目は入金取引、出金取引および通帳記帳である場合、自動取引装置Ａで取り扱うことができる取引の科目が自動取引装置Ｂで取り扱うことができる取引の科目より多い、すなわち、包含していないと判定する。
【００３３】
このとき、顧客が希望する取引の科目が振込取引の場合、自動取引装置Ｂでは取り扱うことができないので顧客を自動取引装置Ａへ誘導する必要が生ずる。
上記判定の結果、自動取引装置Ａで取り扱うことができる取引の科目が自動取引装置Ｂで取り扱うことができる取引の科目を包含していると判定されると処理をＳ１２へ移行し、一方、自動取引装置Ｂで取り扱うことができる取引の科目が自動取引装置Ａで取り扱うことができる取引の科目を包含している、または同じと判定されると処理をＳ１６へ移行する。
【００３４】
Ｓ１２：自動取引装置Ａで取り扱うことができる取引の科目が自動取引装置Ｂで取り扱うことができる取引の科目を包含していると判定した制御装置３は自動取引装置Ｂへ一時的に取り扱いを中止することを要求する電文を送信する。その電文を受信した自動取引装置Ｂは「しばらくお待ちください」等の文言で構成された一時的に取り扱いを中止する画面を表示し、顧客の操作を受け付けないようにして顧客の利用を制限する。ここで、自動取引装置Ｂの顧客誘導ランプ２５を赤色で点灯するようにしてもよい。
【００３５】
これは、例えば、キャッシュコーナの最も奥部に位置する自動取引装置Ａ（８号機）へ向かって移動する顧客がその移動の途中で自動取引装置Ｂ（４号機）が空いていることを発見し、その自動取引装置Ｂで振込取引を行おうとしたがその振込取引を行うことができず、再度、自動取引装置Ａへ移動させることを防止するために行うものである。
Ｓ１３：自動取引装置Ａに移動した顧客は操作を開始し、所望の取引を自動取引装置Ａで行う。
【００３６】
Ｓ１４：自動取引装置Ａで取引が開始されたこと、すなわち、自動取引装置Ａの図示しない接近検知器が顧客の接近を検知し、自動取引装置Ａの顧客操作表示部に表示された取引選択画面で取引を選択されたこと、を検知すると自動取引装置Ａは制御装置３へ取引が開始された旨の情報を送信する。
取引が開始された旨の情報を受信した制御装置３は自動取引装置Ａ（８号機）の顧客誘導ランプ２５を消灯するとともに自動取引装置Ｂへ取引の受付を再開する旨の電文を送信する。その電文を受信した自動取引装置Ｂは顧客操作表示部に「いらっしゃいませ  希望するお取引のボタンを押してください」等の文言および取引を選択するための操作ボタン等で構成された取引選択画面を表示し、取引の受付を再開する。
【００３７】
制御装置３の指示により案内板４は待機する顧客１３に４号機が空いた旨および４号機は入金取引、出金取引または通帳記帳取引が可能である旨を伝える案内表示を行うとともに、制御装置３は回転バー２１のロックを解除する。また、制御装置３により自動取引装置Ｂ（４号機）の顧客誘導ランプ２５を青色等で点灯する。
Ｓ１５：待機している顧客１３は自動取引装置Ｂ（４号機）へ移動し、所望の取引を行うものとする。
【００３８】
Ｓ１６：Ｓ１１の判定において、自動取引装置Ｂで取り扱うことができる取引の科目が自動取引装置Ａで取り扱うことができる取引を包含している、または同じと判定された場合、自動取引装置Ｂは取り扱いを中止することなく顧客の操作を受け付けるものとする。
これは、例えば、キャッシュコーナの最も奥部に位置する自動取引装置Ａ（８号機）へ向かって移動する顧客がその移動の途中で自動取引装置Ｂ（４号機）が空いていることを発見した場合、その自動取引装置Ｂ（４号機）でもその顧客の取引を受け付けるものである。
【００３９】
したがって、自動取引装置Ａ（８号機）または自動取引装置Ｂ（４号機）のどちらでも顧客の操作を受付ける。
Ｓ１７：顧客は自動取引装置Ａ（８号機）または自動取引装置Ｂ（４号機）で所望の取引を行なうものとする。
このようにして待機する顧客を空いた自動取引装置へ誘導する。
【００４０】
なお、本実施例では、ゲート５に回転バー２１を使用した例で説明したが図５に示す通過センサ２２を使用するようにしてもよい。通過センサ２２を使用した場合、制御装置３はゲート５を通過するものを常に検知するようにし、二人以上の顧客の通過を通過センサ２２で検知した場合、図示しないスピーカにより警告音や「次のお客様は少々お待ちください」の文言等を出力してその入場を抑止するものとする。
【００４１】
以上説明したように、本実施例では、回転バーにより自動取引装置の使用を待機する顧客を一人ずつ自動取引装置設置エリアへ入場させ、案内板および顧客誘導ランプにより空いている自動取引装置を知らせることにより顧客を自動取引装置へ確実に誘導することができるという効果が得られる。
また、案内板にそれぞれの自動取引装置が取り扱うことが可能な取引科目を表示することにより、待機している顧客は自分が希望する取引を行うことができる自動取引装置の装置番号を容易に知ることができるという効果が得られる。
【００４２】
さらに、顧客が誘導された自動取引装置以外にも新たに空いた自動取引装置ができた場合、その新たに空いた自動取引装置で顧客が希望する取引を扱わない可能性があるときはその自動取引装置を一時的に取り扱い中止にすることにより、顧客を希望する取引が行なえる自動取引装置へ確実に誘導することができるという効果が得られる。
【図面の簡単な説明】
【００４３】
【図１】実施例における顧客誘導システムの構成を示すブロック図
【図２】実施例におけるキャッシュコーナを示す説明図
【図３】実施例における顧客待機エリアの説明図
【図４】実施例における回転バーの説明図
【図５】実施例における顧客待機エリアの説明図
【図６】実施例における案内板表示内容の説明図
【図７】実施例における顧客誘導ランプの説明図
【図８】実施例における顧客誘導処理のフローチャート
【符号の説明】
【００４４】
１    自動取引装置
２    通信回線
３    制御装置
４    案内板
５    ゲート
９    自動取引装置で操作を行う顧客
１０  顧客待機エリア
１１  出入口
１２  誘導ロープ
１３  顧客
１４  専用出口
２１  回転バー
２２  通貨センサ
２５  顧客誘導ランプ
【図１】
0004711833.tif 000002
【図２】
0004711833.tif 000003
【図３】
0004711833.tif 000004
【図４】
0004711833.tif 000005
【図５】
0004711833.tif 000006
【図６】
0004711833.tif 000007
【図７】
0004711833.tif 000008
【図８】
0004711833.tif 000009